(57)【要約】【課題】使用の回転率を高め、かつ良好な画像を提供する。【解決手段】撮影システム１０は撮影部１１と、制御部２０とを備える。制御部２０は画像データの良否を判定する画像データ判定部２４と、撮影回数を判定する撮影回数判定部２６と、通知判定部２７とを有する。通知判定部２７は撮影回数が上限に達し、かつ画像データが不良と判定された場合に撮り直し可能通知を出す。【選択図】図１
2020061718.tif 000002
【特許請求の範囲】
【請求項１】
撮影システムにおいて、
被撮影者を撮影して画像データを得る撮影部と、
前記撮影部に接続された制御部とを備え、
前記制御部は、前記画像データと前記撮影部の撮影回数を格納する記憶部と、
前記画像データの良否を判定する画像データ判定部と、
前記撮影回数が所定の上限に達したか否か判定する撮影回数判定部と、
前記撮影回数判定部からの回数判定結果に基づいて撮り直し可能か否かの通知を出す通知判定部とを有し、この通知判定部は前記撮影回数が前記上限に達し、かつ前記画像データ判定部により前記画像データが不良と判定した場合に撮り直し可能通知を出す、撮影システム。
【請求項２】
前記通知判定部は、前記画像データ判定部により前記撮影回数が上限に達した場合の前記画像データが不良と判定された場合に撮り直し可能通知を出す、請求項１記載の撮影システム。
【請求項３】
前記通知判定部は、前記画像データ判定部により前記撮影回数が上限に達した場合に、それまでのすべての前記画像データが不良と判定された場合に撮り直し可能通知を出す、請求項１記載の撮影システム。
【請求項４】
前記制御部は前記記憶部内の前記画像データを読み出す画像データ読み出し部と、前記画像データの特徴を抽出する特徴抽出部とを有し、
前記画像データ判定部は前記特徴抽出部で抽出した特徴に基づいて前記画像データの良否を判定する、請求項１乃至３のいずれか記載の撮影システム。
【請求項５】
前記制御部に操作入力部と表示部とが接続されている、請求項１乃至４のいずれか記載の撮影システム。
【請求項６】
前記操作入力部は、前記表示部に一体に組み込まれてタッチパネルを構成する、請求項５記載の撮影システム。
【発明の詳細な説明】
【技術分野】
【０００１】
本開示は撮影システムに関する。
【背景技術】
【０００２】
従来より被撮影者を撮影するとともに、撮影後に被撮影者が撮影画像を表示部（モニタ）でみながら撮影画像がＯＫか、または撮り直しの選択を行うシステムが知られている。
【０００３】
しかしながら、撮影システムをイベント会場に設置した場合、被撮影者が撮り直しを繰り返すと、撮影システムを使用する回転率が低下してしまうという問題がある。
【０００４】
他方、撮影画像に対して目つむり検出等を行って、撮影画像の良否判定を行う技術も開発されている。
【先行技術文献】
【特許文献】
【０００５】
【特許文献１】特開２００７−８８５９４号公報
【発明の概要】
【発明が解決しようとする課題】
【０００６】
本開示はこのような点を考慮してなされたものであり、良好な画像を提供することができ、かつ使用の回転率を上昇させることができる撮影システムを提供することを目的とする。
【課題を解決するための手段】
【０００７】
本開示は、撮影システムにおいて、被撮影者を撮影して画像データを得る撮影部と、前記撮影部に接続された制御部とを備え、前記制御部は、前記画像データと前記撮影部の撮影回数を格納する記憶部と、前記画像データの良否を判定する画像データ判定部と、前記撮影回数が所定の上限に達したか否か判定する撮影回数判定部と、前記撮影回数判定部からの回数判定結果に基づいて撮り直し可能か否かの通知を出す通知判定部とを有し、この通知判定部は前記撮影回数が前記上限に達し、かつ前記画像データ判定部により前記画像データが不良と判定した場合に撮り直し可能通知を出す、撮影システムである。
【０００８】
本開示は、前記通知判定部は、前記画像データ判定部により前記撮影回数が上限に達した場合の前記画像データが不良と判定された場合に撮り直し可能通知を出す、撮影システムである。
【０００９】
本開示は、前記通知判定部は、前記画像データ判定部により前記撮影回数が上限に達した場合に、それまでのすべての前記画像データが不良と判定された場合に撮り直し可能通知を出す、撮影システムである。
【００１０】
本開示は、前記制御部は前記記憶部内の前記画像データを読み出す画像データ読み出し部と、前記画像データの特徴を抽出する特徴抽出部とを有し、前記画像データ判定部は前記特徴抽出部で抽出した特徴に基づいて前記画像データの良否を判定する、撮影システムである。
【００１１】
本開示は、前記制御部に操作入力部と表示部とが接続されている、撮影システムである。
【００１２】
本開示は、前記操作入力部は、前記表示部に一体に組み込まれてタッチパネルを構成する、撮影システムである。
【発明の効果】
【００１３】
使用の回転率を高めることができ、かつ良好な画像を提供することができる。
【図面の簡単な説明】
【００１４】
【図１】図１は第１の実施の形態による撮影システムを示す構成図。
【図２】図２は第１の実施の形態による撮影システムを示す概略図。
【図３】図３は第１の実施の形態による撮影システムのタッチパネルを示す図。
【図４】図４は第１の実施の形態による撮影システムの作用を示すフローチャート。
【図５】図５は第２の実施の形態による撮影システムのタッチパネルを示す図。
【図６】図６は第２の実施の形態による撮影システムの作用を示すフローチャート。
【発明を実施するための形態】
【００１５】
＜第１の実施の形態＞
以下、図面を参照して本開示の第１の実施の形態による撮影システム１０について説明する。ここで図１乃至図４は第１の実施の形態を示す図である。
【００１６】
図１および図２に示すように、撮影システム１０は被撮影者Ｐを撮影して画像データを得るカメラ（撮影部）１１と、表示部１２ａと操作入力部１２ｂとを有するタッチパネル１２と、カメラ１１とタッチパネル１２とに接続された制御部２０とを備えている。
【００１７】
このうちカメラ１１は光学レンズ、ＣＣＤ（Charge Coupled Device）等の光学センサ、Ａ／Ｄ（Analog/Digital）変換部等を含む。
【００１８】
カメラ１１は撮影時には光学レンズを介して入力される被写体像を光学センサにより光学変換して画像信号（アナログ）を生成する。そしてＡ／Ｄ変換部によりアナログ画像信号からデジタル画像データを得て、このデジタル画像データを制御部２０へ出力する。
【００１９】
また、タッチパネル１２はＬＣＤ（Liquid Crystal Display）の画面からなる表示部１２ａと、この表示部１２ａに一体に組み込まれ、被撮影者Ｐが必要な操作入力を行う操作入力部１２ｂとを含む。操作入力部１２ｂは画像を選択するための選択スイッチ、撮影開始を指示するための撮影スイッチ、撮影画像のプリント出力を指示するためのプリントスイッチ等の各種機能キーを含む。操作入力部１２ｂは操作されたキーに対応する操作信号を制御部２０に出力する。
【００２０】
また制御部２０には、プリンタ１３、検知センサ１４およびスピーカ１５が接続されている。
【００２１】
次に制御部２０について述べる。制御部２０は画像データあるいはカメラ１１の撮影回数を記憶する記憶部２１と、記憶部２１内の画像データを読み出す画像データ読み出し部２２と、画像データの特徴を抽出する特徴抽出部２３と、特徴抽出部２３で抽出した画像データの良否を判定する画像データ判定部２４と、記憶部２１内に記憶された撮影回数が上限に達したか否か判定する撮影回数判定部２６と、撮影回数判定部２６からの判定結果に基づいて撮り直し可能か否かの通知を出力する通知判定部２７とを有する。この通知判定部２７は撮影回数が上限に達し、かつ画像データ判定部により画像データが不良と判定した場合に撮り直し可能通知を出力するようになっている。
【００２２】
制御部２０は記憶部２１に格納されているシステムプログラムや、画像撮影処理プログラム、画像処理プログラム等の各種プログラムを読み出してＲＡＭに展開し、当該プログラムに従って各部の動作を集中制御する。
【００２３】
また記憶部２１には、上述のように、システムプログラム、画像撮影処理プログラム、画像処理プログラム等の各種プログラム、カメラ１１により被撮影者Ｐを撮影して得られた画像データ、およびカメラ１１の撮影回数等が記憶されている。
【００２４】
また、制御部２０にはサーバ記憶部３１とサーバ画像提供部３２とを有するサーバ３０が接続されている。
【００２５】
なおカメラ１１と、タッチパネル１２と、プリンタ１３と、制御部２０は、撮影システム１０の筐体１０ａ内に収納されている。
【００２６】
次にこのような構成からなる本実施の形態の作用について説明する。
【００２７】
本実施の形態による撮影システム１０は、例えば新商品を発表するイベント会場に設置され、被撮影者Ｐはこのイベント会場に設置された撮影システム１０に対して必要な操作を行って写真等の無料のプリント物を得る。
【００２８】
図４のフローチャートに示すように、被撮影者Ｐはまず撮影システム１０のタッチパネル１２の前方に立つ。このとき、撮影システム１０の検知センサ１４が被撮影者Ｐを検知する。次に被撮影者Ｐは表示部１２ａに表示されるガイダンスに沿って操作入力部１２ｂを操作する。まず被撮影者Ｐはタッチパネル１２の表示部１２ａ上に表示された各種の撮影デザインから所望の撮影デザインを選択する。なお、ガイダンスは表示部１２ａに表示されるとともに、スピーカ１５からも音声ガイダンスとして流される。
【００２９】
撮影デザインは、画像を構成する背景等のデザインを含む。
【００３０】
次に被撮影者Ｐはタッチパネル１２の操作入力部１２ｂを操作して撮影を開始する。このとき制御部２０からの操作信号に基づいてカメラ１１により被撮影者Ｐの撮影が実行され、カメラ１１により被撮影者Ｐの画像データが生成される。
【００３１】
カメラ１１で作成された画像データは制御部２０の記憶部２１へ格納される。
【００３２】
次に記憶部２１に格納された画像データに基づいて、被撮影者Ｐの撮影画像が表示部１２ａ上に表示される。
【００３３】
被撮影者Ｐは、表示部１２ａ上に表示された撮影画像を確認する。この場合、表示部１２ａ上の撮影画像に満足する場合は「ＯＫ」ボタンを押し、表示部１２ａ上の撮影画像が満足する画像でない場合、「撮り直し」ボタンを押して上述の手順を繰り返してカメラ１１による撮り直しを行う。
【００３４】
本実施の形態において、カメラ１１による撮影回数が記憶部２１内に記憶されており、カメラ１１の撮影回数は撮影システム１０の使用する回転率を高めるため撮影回数の上限が所定数、例えば４回と定められている。
【００３５】
このため撮影回数が４回に達するまでは、カメラ１１により被撮影者Ｐが何回も撮り直しを行うことができる。
【００３６】
そして撮り直して得られた撮影画像は、その都度上書きされて後述する画像データ判定部２４による判定結果とともに、タッチパネル１２の表示部１２ａ上に表示される（図３参照）。
【００３７】
この間、記憶部２１内の画像データに対して画像データ読み出し部２２と、特徴抽出部２３と、画像データ判定部２４とにより、画像データの良否判定が行われる。
【００３８】
具体的に、まず画像データ読み出し部２２が記憶部２１内の画像データを読み出す。次に特徴抽出部２３がこの読み出した画像データに対して、特徴抽出を行う。次に画像データ判定部２４により特徴抽出部２３で抽出した特徴に基づいて、画像データの良否判定を実行する。はじめに画像データ判定部２４においてピント判定を行う。ピント判定には、画像の高周波成分を特徴抽出部２３で抽出して、この結果よりピントが合っているかを判定することが出来る。次に、画像データ判定部２４において画像データに関し、被撮影者Ｐが撮影時に動いたか否かを判定する。被撮影者Ｐが撮影時に動いたか否かの判定は、画像の自己相関を調べることで判定をすることが出来る。実際には、画像データをいくつかの細かいブロックに分けて、そのブロック単位で、元画像データと相関を計算し、一部のブロックでのみ、特定の方向、距離に相関が強く発生し、それ以外のブロックでは距離“０”で相関が強い場合、被撮影者Ｐが動いていたと判定される。次に、画像データ判定部２４において画像データの露出の判定が行われる。
【００３９】
更に細かく調べると、被撮影者の顔部分を抽出し、この顔部分の平均レベルが低い場合にも露出不足と判定される。
【００４０】
さらに画像データ判定部２４において、被撮影者の目つむり等を判定することができる。この場合、特徴抽出部２３は、被撮影者Ｐの顔画像を抽出する。そして画像データ判定部２４において、特徴抽出部２３で抽出された顔画像が正面を向いているか、横向きか、そして、その人物の目がちゃんと開いているか、等を判定する。なお、画像データ判定部２４において、画像データの良否判定を行う場合、機械学習で失敗写真を学習させた学習済みの画像データ判定部２４によって良否判定することもできる。
【００４１】
このように画像データ判定部２４により、記憶部２１に格納されたすべての画像データに対してその画像データの良否が判定され、各画像データの良否判定結果は記憶部２１内に格納される。
【００４２】
このようにして撮影回数が上限の４回に達した場合、撮影回数が上限の４回に達した旨、撮影回数判定部２６により判定され、撮影回数判定部２６からの回数判定結果が通知判定部２７に送られる。
【００４３】
同時に撮影回数が上限の４回に達すると、４回目の撮影画像がタッチパネル１２の表示部１２ａ上に、画像データ判定部２４による画像データの良否判定結果とともに表示される。
【００４４】
この間、記憶部２１に格納された画像データ良否判定結果も通知判定部２７へ送られる。
【００４５】
通知判定部２７は撮影回数判定部２６からの回数判定結果に基づいて、撮影回数が上限の４回に達すると、４回目の撮影画像に対する画像データの良否判定結果が良好の場合、撮り直し不可通知を出す。
【００４６】
他方、撮影回数が上限の４回に達した場合であって、４回目の撮影画像に対する画像データの良否判定結果が不良の場合、通知判定部２７は撮り直し可能通知を出す。この場合は、撮影回数が４回以上となっても、画像データ判定部２４による画像データの良否判定が良好となるまで、カメラ１１による撮り直しを繰り返すことができる。
【００４７】
そして撮影回数が４回以上になって、かつ画像データ判定部２４により画像データが良好となったところで、通知判定部２７は撮り直し不可通知を出す。
【００４８】
このようにして、表示部１２ａに表示された最後の撮影画像の画像データが提供すべき画像データとして確定する。
【００４９】
以上のように本実施の形態によれば、撮影回数の上限を例えば４回と定めることにより撮影システムの使用の回転率を高めることができる。同時に撮影回数が上限の４回となっても良好な撮影画像が得られるまで撮り直しを行うことができ、使用の回転率を高めながら、良好な撮影画像を提供することができる。
【００５０】
次に被撮影者Ｐは、タッチパネル１２の操作入力部１２ｂから本人のメールアドレスを入力する。同時に被撮影者Ｐは操作入力部１２ｂから発表された新商品に関するアンケートに対して回答する。
【００５１】
タッチパネル１２の操作入力部１２ｂから入力された本人のメールアドレスおよびアンケートに対する回答は、制御部２０へ送られる。制御部２０は上述のように記憶部２１内に格納され、提供すべき画像データとして確定された画像データをプリンタ１３へ出力する。
【００５２】
その後プリンタ１３により、写真からなるプリント印刷物が作製され、この写真からなるプリント印刷物は無料で被撮影者Ｐへ提供される。
【００５３】
制御部２０は、同時に提供すべき画像データとともに被撮影者Ｐのメールアドレスをサーバ３０へ送る。送られた画像データと被撮影者Ｐのメールアドレスは、サーバ３０のサーバ記憶部３１内に格納される。
【００５４】
次に被撮影者Ｐがサーバ３０に対して自らのメールアドレスを用いて携帯端末からアクセスする。この場合サーバ３０の画像提供部３２から画像データが被撮影者の携帯端末へ送られ、被撮影者Ｐは写真からなるプリント印刷物に加えて、画像データを入手することができる。
【００５５】
被撮影者Ｐは写真のプリント印刷物の代わりに、プリンタ１３からＱＲコードのプリント印刷物を入手し、このＱＲコードのプリント印刷物を携帯端末に読み込ませて、サーバ３０の画像提供部３２から画像データを入手してもよい。
【００５６】
＜第２の実施の形態＞
次に図５および図６により第２の実施の形態について説明する。
【００５７】
図５および図６に示す第２の実施の形態は、撮影回数が所定の上限に達し、かつそれまでのすべての画像データが不良と判定された場合に、通知判定部２７が撮り直し不可通知を出力するものであり、他の構成は図１乃至図４に示す第１の実施の形態と略同一である。
【００５８】
図５および図６に示す第２の実施の形態において、図１乃至図４に示す第１の実施の形態と同一部分には同一符号を付して詳細な説明は省略する。
【００５９】
図５および図６に示すように、撮影システム１０は、例えば新商品を発表するイベント会場に設置され、被撮影者Ｐはこのイベント会場に設置された撮影システム１０に対して必要な操作を行って写真等の無料のプリント物を得る。
【００６０】
図６のフローチャートに示すように、被撮影者Ｐはまず撮影システム１０のタッチパネル１２の前方に立つ。このとき、撮影システム１０の検知センサ１４が被撮影者Ｐを検知する。次に被撮影者Ｐは表示部１２ａに表示されるガイダンスに沿って操作入力部１２ｂを操作する。まず被撮影者Ｐはタッチパネル１２の表示部１２ａ上に表示された各種の撮影デザインから所望の撮影デザインを選択する。なお、ガイダンスは表示部１２ａに表示されるとともに、スピーカ１５からも音声ガイダンスとして流される。
【００６１】
撮影デザインは、画像を構成する背景等のデザインを含む。
【００６２】
次に被撮影者Ｐはタッチパネル１２の操作入力部１２ｂを操作して撮影を開始する。このとき制御部２０からの操作信号に基づいてカメラ１１により被撮影者Ｐの撮影が実行され、カメラ１１により被撮影者Ｐの画像データが生成される。
【００６３】
カメラ１１で作成された画像データは制御部２０の記憶部２１へ格納される。
【００６４】
次に記憶部２１に格納された画像データに基づいて、被撮影者Ｐの撮影画像が、１回目に撮影された撮影画像から最後に撮影された撮影画像まで順次表示部１２ａ上に表示される。
【００６５】
被撮影者Ｐは、表示部１２ａ上に表示された撮影画像を確認する。この場合、表示部１２ａ上の撮影画像に満足する場合は当該撮影画像、および「ＯＫ」ボタンを押し、表示部１２ａ上の撮影画像が所望の画像でない場合、「撮り直し」ボタンを押して上述の手順を繰り返してカメラ１１による撮り直しを行う。
【００６６】
本実施の形態において、カメラ１１による撮影回数が記憶部２１内に記憶されており、カメラ１１の撮影回数は撮影システム１０の使用する回転率を高めるため撮影回数の上限が所定数例えば４回と定められている。
【００６７】
このため撮影回数が４回に達するまではカメラ１１により撮り直しを行うことができる。
【００６８】
そして撮り直して得られた撮影画像は、上述のように１回目の撮影画像から最後の撮影画像まで順次後述する画像データ判定部２４による判定結果とともに、タッチパネル１２の表示部１２ａ上に表示される（図５参照）。
【００６９】
この間、記憶部２１内の画像データに対して画像データ読み出し部２２と、特徴抽出部２３と、画像データ判定部２４とにより、画像データの良否判定が行われる。
【００７０】
このように画像データ判定部２４により、記憶部２１に格納されたすべての画像データに対してその画像データの良否が判定され、各画像データの良否判定結果は記憶部２１内に格納される。
【００７１】
このようにして撮影回数が上限の４回に達した場合、撮影回数が上限の４回に達した旨、撮影回数判定部２６により判定され、撮影回数判定部２６からの回数判定結果が通知判定部２７に送られる。
【００７２】
同時に撮影回数が上限の４回に達すると、１回目から４回目までのすべての撮影画像がタッチパネル１２の表示部１２ａ上に、画像データ判定部２４による画像データの良否判定結果とともに表示される。
【００７３】
この間、記憶部２１に格納された画像データ良否判定結果も通知判定部２７へ送られる。
【００７４】
通知判定部２７は撮影回数判定部２６からの回数判定結果に基づいて、撮影回数が上限の４回に達すると、１回目〜４回目の撮影画像のいずれかの画像データの良否判定結果が良好の場合、撮り直し不可通知を出す。
【００７５】
他方、撮影回数が上限の４回に達した場合であって、１回目〜４回目のすべての撮影画像に対する画像データの良否判定結果が不良の場合、通知判定部２７は撮り直し可能通知を出す。この場合は、撮影回数が４回以上となっても、画像データ判定部２４による画像データの良否判定が良好となるまで、カメラ１１による撮り直しを繰り返すことができる。なお、撮影回数が上限の４回に達した場合であって、１回目〜４回目のすべての撮影画像に対する画像データの良否判定結果が不良であっても、タッチパネル１２の表示部１２ａ上にプリントするか否かを選択する撮影画面を表示し、被撮影者Ｐが希望すれば、撮り直しを繰り返すことなく、所望の撮影画像を選択してプリント印刷物を作製することもできる（図６参照）。すなわち、撮影システム１０が１回目〜４回目のすべての撮影画像に対して画像データは不良と判断しても、被撮影者にとってはプリント物を作製したい場合があり、このような場合は、被撮影者にとって利便性を向上することができる。
【００７６】
そして撮影回数が４回以上になって、かつ画像データ判定部２４により画像データが良好となったところで、通知判定部２７は撮り直し不可通知を出す。
【００７７】
この場合、被撮影者Ｐはタッチパネル１２の表示部１２ａに表示された最後の撮影画像を押して提供すべき画像データとして確定するが、被撮影者Ｐはタッチパネル１２の表示部１２ａに表示された任意の撮影画像を押して提供すべき画像データとして定めてもよい。
【００７８】
以上のように本実施の形態によれば、撮影回数の上限を例えば４回と定めることにより撮影システムの使用の回転率を高めることができる。同時に撮影回数が上限の４回となっても良好な撮影画像が得られるまで撮り直しを行うことができ、使用の回転率を高めながら、良好な撮影画像を提供することができる。
【００７９】
次に被撮影者Ｐは、タッチパネル１２の操作入力部１２ｂから本人のメールアドレスを入力する。同時に被撮影者Ｐは操作入力部１２ｂから発表された新商品に関するアンケートに対して回答する。
【００８０】
タッチパネル１２の操作入力部１２ｂから入力された本人のメールアドレスおよびアンケートに対する回答は、制御部２０へ送られる。制御部２０は上述のように記憶部２１内に格納され、提供すべき画像データとして確定された画像データをプリンタ１３へ出力する。
【００８１】
その後プリンタ１３により、写真からなるプリント印刷物が作製され、この写真からなるプリント印刷物は無料で被撮影者Ｐへ提供される。
【００８２】
制御部２０は、同時に提供すべき画像データとともに被撮影者Ｐのメールアドレスをサーバ３０へ送る。送られた画像データと被撮影者Ｐのメールアドレスは、サーバ３０のサーバ記憶部３１内に格納される。
【００８３】
次に被撮影者Ｐがサーバ３０に対して自らのメールアドレスを用いて携帯端末からアクセスする。この場合サーバ３０の画像提供部３２から画像データが被撮影者の携帯端末へ送られ、被撮影者Ｐは写真からなるプリント印刷物に加えて、画像データを入手することができる。
【００８４】
この場合、被撮影者Ｐは写真のプリント印刷物の代わりに、プリンタ１３からＱＲコードのプリント印刷物を入手し、このＱＲコードのプリント印刷物を携帯端末に読み込ませて、サーバ３０の画像提供部３２から画像データを入手してもよい。
【符号の説明】
【００８５】
１０  撮影システム
１１  カメラ
１２  タッチパネル
１２ａ  表示部
１２ｂ  操作入力部
１３  プリンタ
１４  検知センサ
１５  スピーカ
２０  制御部
２１  記憶部
２２  画像データ読み出し部
２３  特徴抽出部
２４  画像データ判定部
２６  撮影回数判定部
２７  通知判定部
３０  サーバ
３１  サーバ記憶部
３２  サーバ画像提供部
【図１】
2020061718.tif 000003
【図２】
2020061718.tif 000004
【図３】
2020061718.tif 000005
【図４】
2020061718.tif 000006
【図５】
2020061718.tif 000007
【図６】
2020061718.tif 000008